(57)【特許請求の範囲】
【請求項１】
（ｉ）水不溶性無機担体中に埋め込まれた微量作用金属を含む複合抗菌性粒状材料、および
（ｉｉ）チモールおよびテルピネオールを含み、
チモールが０．０１〜０．０５重量％で存在し、
テルピネオールが０．０１〜０．０５重量％で存在し、
少なくとも１０重量％のＣ８〜Ｃ２２脂肪酸の石鹸を含み、
パーソナルウォッシュ組成物である、棒状石鹸組成物。
【請求項２】
前記無機担体は、酸化チタン、酸化マグネシウム、酸化アルミニウム、酸化ケイ素、酸化カルシウム、酸化バリウム、ヒドロキシアパタイトカルシウム、炭酸カルシウム、炭酸カルシウムマグネシウム、層状ケイ酸塩、ゼオライト、粘土またはベントナイトのうちの少なくとも１つである、請求項１に記載の組成物。
【請求項３】
前記無機担体が炭酸カルシウムである、請求項２に記載の組成物。
【請求項４】
前記抗菌性粒状材料中の微量作用金属の量が前記粒状材料の０．１％〜１０重量％である、請求項１〜３のいずれか一項に記載の組成物。
【請求項５】
前記微量作用金属が銅または銀である、請求項１〜４のいずれか一項に記載の組成物。
【請求項６】
前記チモールの量と前記テルピネオールの量との重量比が１：０．５〜１：２である、請求項１〜５のいずれか一項に記載の組成物。
【請求項７】
０．００００５〜２重量％の前記微量作用金属に相当する量の前記複合抗菌粒子を含む、請求項１〜６のいずれか一項に記載の組成物。
【請求項８】
１０〜３０秒の接触時間内に、生物表面または無生物表面上の少なくとも１つのグラム陽性細菌またはグラム陰性細菌の細菌数を１〜５対数減少させることによって、前記表面を消毒するための、請求項１〜７のいずれか一項に記載の組成物の使用であって、非治療的である使用。
【請求項９】
１０〜３０秒の接触時間内に、生物表面または無生物表面上の少なくとも１つのグラム陽性細菌またはグラム陰性細菌の細菌数を１〜５対数減少させることによって、前記表面を請求項１〜７のいずれか一項に記載の組成物と接触させることによって、前記表面を消毒する非治療的方法。
【発明の詳細な説明】
【技術分野】
【０００１】
本発明は、微量作用金属を含有する抗菌組成物に関する。特に、本発明は、生物表面ならびに無生物表面を迅速に消毒するためのパーソナルウォッシュ組成物に関する。
【背景技術】
【０００２】
棒状石鹸、ボディウォッシュ組成物およびハンドウォッシュ組成物などのパーソナルウォッシュ製品のような抗菌クレンジング組成物に対する需要が増え続けている。銀、銅または亜鉛のような微量作用金属を含有する抗菌クレンジング組成物は、様々な細菌に対して有効である。銀が最も広く使用されている。
【０００３】
国際公開第２０１０／０４６２３８号（Ｕｎｉｌｅｖｅｒ）は、チモールおよびテルピネオールを含有する抗菌パーソナルケア組成物を開示している。
【０００４】
国際公開第２０１６０２０１６８号（Ｕｎｉｌｅｖｅｒ）は、無機多孔質材料中に固定化された抗菌性金属ナノ粒子ならびにこれらの粒子を含有するパーソナルケア組成物の調製を開示している。抗菌性粒状組成物は、０．０５〜３重量％の抗菌性金属粒子を含み、残りは無機担体である。
【０００５】
しかしながら、消費者は持続可能である効果的な製品をますます求めている。
【先行技術文献】
【特許文献】
【０００６】
【特許文献１】国際公開第２０１０／０４６２３８号
【特許文献２】国際公開第２０１６０２０１６８号
【発明の概要】
【０００７】
組成物、より特定的には微量作用金属とチモールまたはテルピネオールの少なくとも一方とを含むパーソナルウォッシュ組成物が有意な抗菌活性を示すことが判明した。金属は、炭酸カルシウムのような水不溶性無機担体中に当該金属が埋め込まれている複合粒状材料の形態である必要がある。
【０００８】
この形態での微量作用金属の存在は、著しく少量の微量作用金属を含有する組成物の処方を可能にする。通常、そのような金属はｐｐｍ（百万分の一）のオーダーの量で含まれる。しかしながら、そのような金属をできる限り少なく含む組成物を処方することが依然として望ましい。「できる限り少なく」という表現は、文脈によって意味が決まる。その理由は、人間の皮膚に適用されるパーソナルウォッシュ組成物の場合、金属含有量を文字通りできる限り少なくする必要があるが、その一方で、（実際には）より多くの金属量が許容され、かつ望ましい卓上やタイルのような無生物表面を消毒するための組成物があるので、実際の金属含有量を、効果的な消毒を行うのに十分な程高く保ちつつ、従来の製品と比較してごくわずかに減らすことが依然として望ましいとされる可能性があるからである。驚くべき効果は、微量作用金属量が減少したにもかかわらず、本発明による組成物は迅速な消毒作用を提供し、その作用は通常、細菌の対数減少について測定され、報告される。このような作用は、特にパーソナルウォッシュ組成物、特に棒状石鹸の場合に観察されている。
【０００９】
第１の態様によれば、請求項１に記載の組成物が開示されている。
【００１０】
本発明の一態様の任意の特徴は、本発明の任意の他の態様において利用することができる。「含む（ｃｏｍｐｒｉｓｉｎｇ）」という用語は、「包含する（ｉｎｃｌｕｄｉｎｇ）」を意味することを意図しているが、必ずしも「からなる（ｃｏｎｓｉｓｔｉｎｇ  ｏｆ）」または「から構成される（ｃｏｍｐｏｓｅｄ  ｏｆ）」という意味を意図するものではない。言い換えれば、列挙された工程または選択肢は、網羅的である必要はない。操作例および比較例を除き、または他に明示的に示されている場合を除き、材料の量または反応条件、材料の物理的性質および／または使用を示す本明細書中のすべての数字は、「約」という用語で修飾されているものと理解されるべきである。「ｘ〜ｙ」の形式で表される数値範囲は、ｘおよびｙを包含すると理解される。特定の特徴に関して、複数の好ましい範囲が「ｘ〜ｙ」の形式で記載されている場合、異なる終点を組み合わせたすべての範囲もまた想定されることが理解される。
【００１１】
特に断らない限り、重量％（ｗｔ％または％  ｂｙ  ｗｅｉｇｈｔ）という用語に対する言及はすべて、特にそれとは反対の指示がない限り、組成物の重量に対する当該成分の％を指すと解釈されるべきである。
【発明を実施するための形態】
【００１２】
多数の抗菌性消毒組成物が市販されており、そのいくつかは文献に報告されているが、細菌耐性の出現およびより新しい毒性微生物株の出現のためにより有効な製品が必要とされている。
【００１３】
銀はその微量作用で知られている。この作用は、少量のある種の金属の、細菌細胞に致命的な影響を及ぼす能力である。金属およびそれらの化合物のいくつかは、特有の方法で微生物の細胞を変化させ、死滅させる能力を有する。銀や銅などの微量作用金属は、様々な表面を殺菌および消毒するために長い間使用されてきたが、ホームケアおよびパーソナルケア組成物がリストの首位を占める。
【００１４】
本明細書で使用される場合、パーソナル洗浄組成物とは、局所領域、例えば、哺乳動物、特にヒトの皮膚および／または毛髪を洗浄および殺菌するための組成物を含むことを意味する。そのような組成物は、リーブオンまたはリンスオフとして分類することができ、外観、クレンジング、臭気制御または一般的な美観も改善するために人体に適用される任意の製品を包含する。より好ましくは、リンスオフ製品である。
【００１５】
「皮膚」は、本明細書で使用される場合、顔面および身体（例えば、首、胸、背中、腕、脇の下、手、足、臀部および頭皮）の皮膚を包含することを意味する。本発明の組成物はまた、皮膚以外の人体の任意の他の角質基質、例えば、製品が殺菌および洗浄という特定の目的で処方され得る髪、への適用にも関連がある。
【００１６】
本発明による組成物
第１の態様によれば、
（ｉ）水不溶性無機担体中に埋め込まれた微量作用金属を含む複合抗菌性粒状材料、および
（ｉｉ）チモールもしくはテルピネオールの少なくとも一方またはそれらの混合物
を含む組成物が開示される。
【００１７】
複合抗菌性粒状材料
無機担体は、酸化チタン、酸化マグネシウム、酸化アルミニウム、酸化ケイ素、酸化カルシウム、酸化バリウム、ヒドロキシアパタイトカルシウム、炭酸カルシウム、炭酸カルシウムマグネシウム、層状ケイ酸塩、ゼオライト、粘土またはベントナイトのうちの少なくとも１つであることが好ましい。より好ましくは、無機担体は、２０〜１００ｎｍ、好ましくは４０〜６０ｎｍの幅を有するナノプレート様構造の凝集体から構成される。さらに好ましくは、無機担体は、ナノまたはマイクロ構造化アセンブリを有する多孔質材料である。無機担体の粒径は、１〜１０μｍが好ましい。
【００１８】
特に好ましい無機担体は炭酸カルシウムである。他の好ましい担体は酸化チタン、水酸化マグネシウムおよび酸化亜鉛である。
【００１９】
好ましくは、抗菌性粒状材料中に含まれる微量作用金属の量は、粒状材料の０．１〜１０重量％である。このような場合、多かれ少なかれ、残りは無機担体から構成される。抗菌性粒子が粒状材料の０．１〜１０重量％の微量作用金属を含有することを確実にするために、適切なプロセス条件および化学量論量の出発材料を用いる必要がある。国際公開第２０１６０２０１６８号（Ｕｎｉｌｅｖｅｒ）に開示されているプロセス工程および条件は、複合抗菌性粒状材料を調製するために使用することができ、また、そのために使用するのが好ましい。
【００２０】
複合抗菌性粒状材料の調製方法は以下の工程を含む。
【００２１】
粒径１〜１０μｍの水不溶性無機担体の水分散液を調製する。分散液は、（分散液の重量に対して）１〜５重量％の担体を含有する。
【００２２】
別に、還元剤の水溶液を調製する。溶液中の還元剤の濃度は１０〜３０重量％である。
【００２３】
分散液と溶液を混合する。その後、この混合物を７０℃から９０℃に加熱する。この段階で、微量作用金属の水溶性塩を加熱混合物に添加する。
【００２４】
好ましくは、還元剤は酢酸ナトリウム、シュウ酸ナトリウム、クエン酸三ナトリウムまたはエチレンジアミン四酢酸二ナトリウムである。
【００２５】
微量作用金属が銅または銀であることが特に好ましく、さらにより特定的には銀である。金も代替物であるが、価格の面であまり好ましくない。本発明による組成物は、０．００１〜２重量％の微量作用金属に相当する量の複合抗菌粒子を含むことが好ましい。例えば、組成物が０．５重量％の銀（＝１００ｇの組成物中に０．５ｇの銀）を含有することが望ましい場合、０．５ｇの銀を含有する量の複合粒状材料が組成物中に包含される。この量は、粒状材料中の溶媒含有量に応じて変わり得る。
【００２６】
銀が特に好ましい。イオン形態では、それは塩または任意の適用可能な酸化状態の任意の化合物として存在し得る。本発明による組成物は、０．００１〜２重量％の微量作用金属に相当する量の複合抗菌粒子を含むことが好ましい。金属が酢酸銀の形態の銀のような化合物の形態で存在する場合、活性金属含有量が既に示されたような広く好ましい範囲内にあるように適切な量の化合物が包含される。
【００２７】
金属、例えば、銀は化合物、例えば、銀（Ｉ）化合物の形態で存在するのが好ましいが、銀の粒子、例えば、ナノ粒子の形態であってもよい。
【００２８】
銀（Ｉ）化合物は、銀イオン溶解度が少なくとも１．０×１０”４ｍｏｌ／Ｌ（２５℃の水中）である１種以上の水溶性銀（Ｉ）化合物である。本明細書で言及される銀イオン溶解度は、２５℃の水中での溶解度積（Ｋｓｐ）に由来する値であり、これは多数の出典で報告されている周知のパラメータである。より具体的には、銀イオン溶解度［Ａｇ＋］、モル／Ｌで与えられる値は、式［Ａｇ＋］＝（Ｋｓｐ・ｘ）（１／（ｘ＋１））（式中、Ｋｓｐは２５℃の水中での目的化合物の溶解度積であり、ｘは化合物１モル当たりの銀イオンのモル数を表す）を用いて計算することができる。銀イオン溶解度が少なくとも１×１０”４ｍｏｌ／Ｌである銀（Ｉ）化合物が本明細書での使用に適していることが分かった。種々の銀化合物についての銀イオン溶解度値を表１に示す。
【表１】
0006987862.tif 000002
【００２９】
銀が化合物の形態で存在する場合、酸化銀、硝酸銀、酢酸銀、硫酸銀、安息香酸銀、サリチル酸銀、炭酸銀、クエン酸銀またはリン酸銀から選択される化合物が好ましい。特に好ましい組成物では、銀（Ｉ）化合物は酸化銀である。
【００３０】
チモール／テルピネオール
複合抗菌性粒状材料に加えて、本発明による組成物は、０．０００１〜５重量％のチモールまたはテルピネオールの少なくとも一方を含む。
【００３１】
本発明による組成物はチモールおよびテルピネオール、つまり両者を組み合わせて含むことが好ましい。そのような場合、チモールの量とテルピネオールの量との重量比が１：０．１〜１：１０であることが好ましい。より好ましくは、この比は１：０．５〜１：２である。
【００３２】
チモールが単独でまたはテルピネオールとの組み合わせで存在する場合、チモールの量は、好ましくは０．０１〜２重量％、より好ましくは０．０１〜１重量％、さらにより好ましくは０．０１〜０．５重量％、さらにより好ましくは０．０１〜０．０５重量％である。チモールはより低い投与量で有効であるので、より高い投与量は必要な場合にのみ使用され得る。
【００３３】
チモールの欠点は、一部の個人にとって不快に思われる臭いであるが、そのようなより高い投与量は、知覚的側面が重要ではない組成物において、または適切な臭気マスキング剤の包含を可能にする組成物の場合に使用され得る。チモールは精製された形で使用されるのが好ましい。
【００３４】
チモールの代替物として、十分な／所望の量のチモールがその中に存在することを確実にしつつ、チモールを含むタイムオイルまたはタイム抽出物を使用することができる。タイムオイルまたはタイム抽出物はタイム植物から得られる。タイム植物とは、Ｔｈｙｍｕｓ属に属する植物をいい、次の種が含まれるがこれに限定されない：Ｔｈｙｍｕｓ  ｖｕｌｇａｒｉｓ、Ｔｈｙｍｕｓ  ｚｙｇｉｓ、Ｔｈｙｍｕｓ  ｓａｔｕｒｅｏｉｄｅｓ、Ｔｈｙｍｕｓ  ｍａｓｔｉｃｈｉｎａ、Ｔｈｙｍｕｓ  ｂｒｏｕｓｓｏｎｅｔｔｉ、Ｔｈｙｍｕｓ  ｍａｒｏｃｃａｎｕｓ、Ｔｈｙｍｕｓ  ｐａｌｌｉｄｕｓ、Ｔｈｙｍｕｓ  ａｌｇｅｒｉｅｎｓｉｓ、Ｔｈｙｍｕｓ  ｓｅｒｐｙｌｌｕｍ、Ｔｈｙｍｕｓ  ｐｕｌｅｇｏｉｄｅおよびＴｈｙｍｕｓ  ｃｉｔｒｉｏｄｏｒｕｓ。チモールの異性体（カルバクロール）もまた使用され得る。あるいは、あまり好ましくはないが、同様のチモール特性を有する任意のチモール誘導体もまた好ましく使用され得る。
【化１】
0006987862.tif 000003
【００３５】
チモールに加えて、またはその代わりに、本発明による組成物はテルピネオールを含む。テルピネオールが単独でまたはチモールと組み合わせて存在する場合、テルピネオールの量は、好ましくは０．０１〜２重量％、より好ましくは０．０１〜１重量％、さらにより好ましくは０．０１〜０．５重量％、さらにより好ましくは０．０１〜０．０５重量％である。テルピネオールはより低い投与量で有効であるので、より高い投与量は必要な場合にのみ使用され得る。
【００３６】
チモールのようなテルピネオールの欠点は、一部の個人にとって不快に思われる臭いであるが、そのようなより高い投与量は、知覚的側面が重要ではない組成物において、または適切な臭気マスキング剤の包含を可能にする組成物の場合に使用され得る。テルピネオールは精製された形で使用されるのが好ましい。
【００３７】
テルピネオールの構造を以下に示す。
【化２】
0006987862.tif 000004
【００３８】
あるいは、あまり好ましくはないが、精製テルピネオールの代わりに所望量のテルピネオールを含むパイン油を使用してもよい。
【００３９】
微量作用金属、特に銀は、細菌膜の透過性に影響を及ぼし、かつ、活性酸素種を生成するその能力のために主に作用することができる。銀イオンは活性種と考えられている。したがって、十分な数のそのようなイオンが迅速かつ効率的に生成される場合、それによって汚染されている表面の生存細菌数の急速な減少をもたらすことが可能である。
【００４０】
チモール（またはテルピネオールまたはその両方）と共に無機担体に埋め込まれた微量作用金属、例えば、銀は、そうでなければ必要であったであろう微量作用金属含有量の有意な減少を可能にしつつ、より迅速に作用する抗菌効果をもたらす。本発明による組成物は、グラム陽性細菌およびグラム陰性細菌の少なくとも一方に対して有効である。より好ましい組成物は、グラム陽性細菌およびグラム陰性細菌に対する作用を意味する広域スペクトルの抗菌作用を付与する。
【００４１】
理論に束縛されることを望むものではないが、無機担体は、有効量の微量作用金属イオンの放出を確実にすると考えられる。そのようなイオンは、チモールおよびテルピネオールの少なくとも一方と共に、好ましくは２つ一緒に、１０〜３０秒の接触時間に、生物表面または無生物表面の細菌数を１〜５対数減少させるために相乗的に相互作用する。
【００４２】
組成物および方法の使用
第２の態様によれば、１０〜３０秒の接触時間内に、生物表面または無生物表面上の少なくとも１つのグラム陽性細菌またはグラム陰性細菌の細菌数を１から５対数減少させることによって前記表面を消毒するための、第１の態様による組成物の使用が開示される。
【００４３】
本明細書で使用される「対数減少」という用語は、生存微生物数の１０倍または９０パーセントの減少を意味する。「２対数」減少により、生存細菌数が９．９％減少することを意味する。「４対数」減少とは、生存細菌数が９９．９９％減少することを意味する。
【００４４】
グラム陽性細菌は黄色ブドウ球菌（Ｓ．ａｕｒｅｕｓ）であることが好ましい。グラム陰性細菌は大腸菌（Ｅ．ｃｏｌｉ）であることが好ましい。一態様において、使用は本質的に非治療的である。別の態様において、使用は本質的に治療的である。その違いは当業者の知識の範囲内である。
【００４５】
第３の態様によれば、１０〜３０秒の接触時間内に、生物表面または無生物表面上の少なくとも１つのグラム陽性細菌またはグラム陰性細菌の細菌数を１〜５対数減少させることによって、前記表面を第１の態様による組成物と接触させることによって、前記表面を消毒する方法が開示される。
【００４６】
グラム陽性細菌は黄色ブドウ球菌（Ｓ．ａｕｒｅｕｓ）であることが好ましい。グラム陰性細菌は大腸菌（Ｅ．ｃｏｌｉ）であることが好ましい。一態様において、使用は本質的に非治療的である。別の態様において、使用は本質的に治療的である。その違いは当業者の知識の範囲内である。一般に、治療は、身体の何らかの障害または機能不全の症状を治癒、緩和、除去もしくは軽減する、または、それに罹患する可能性を予防もしくは低減するように設計されたあらゆる治療を意味する。石鹸およびシャンプーなどの化粧品である組成物の場合、非治療的という用語は化粧品の使用または方法を意味する。
【００４７】
生物表面という用語は、生きている動物、特に哺乳動物、より特定的には人間の表面を意味する。例としては、皮膚、頭皮、歯および髪が挙げられる。
【００４８】
無生物表面という用語は、卓上、タイル、床材、木材、セラミックまたはプラスチック表面などの非生物表面を包含する。
【００４９】
本発明による組成物の詳細
一態様では、本発明による組成物はホームケア組成物である。非限定的な例としては、洗濯用粉末、洗濯用液体、布地調整剤、フロアクリーナー、トイレ用洗浄組成物、食器洗い用組成物および他の硬質表面用洗浄組成物が挙げられる。
【００５０】
あるいは、組成物は、パーソナルケア組成物またはパーソナルクレンジング組成物である。
【００５１】
組成物の種類および意図する目的に応じて、組成物はそのような組成物中に通常存在する他の成分を含有するであろう。好ましくは、パーソナルケア組成物は化粧品組成物である。
【００５２】
一態様では、化粧品組成物はリーブオンタイプである。それらは皮膚に適用され、長期間それと接触したままであることを意味する。リーブオン組成物は、好ましくは、適用後の組成物を除去するために表面を洗浄するその後の工程なしに表面（例えば皮膚）に適用される組成物を意味する。例としては、スキンクリーム、ローションおよびヘアクリームが挙げられる。
【００５３】
あるいは、化粧品組成物はウォッシュオフタイプまたはリンスオフタイプのものであり、それはその名の通り、水で洗い流す必要がある組成物を意味する。例としては、ハンドウォッシュ液、棒状石鹸、シャンプーが挙げられる。
【００５４】
すべての化粧品組成物は、好ましくはクリーム、ローション、ゲルまたはエマルジョンである化粧品として許容されるベースを含む。化粧品として許容されるベースは、通常、組成物の１０〜９９．９重量％、好ましくは５０〜９９重量％であり、他のパーソナルケア添加剤が存在しない場合、組成物の残りを形成することができる。
【００５５】
パーソナルケア組成物（リーブオン）は、化粧品として許容される様々な乳化系または非乳化系およびビヒクルを用いて調製することができる。非常に適したベースはクリームである。バニシングクリームが特に好ましい。バニシングクリームベースは、一般に、５〜２５％の脂肪酸および０．１〜１０％の石鹸を含む。バニシングクリームベースは非常に高く評価されたマット感を肌に与える。Ｃ１２〜Ｃ２０脂肪酸は、バニシングクリームベースにおいて特に好ましく、さらにより好ましくはＣ１４〜Ｃ１８脂肪酸である。組成物中の脂肪酸は、より好ましくは、組成物の５〜２０重量％の範囲の量で存在する。バニシングクリームベースの石鹸には、ナトリウム塩またはカリウム塩のような脂肪酸のアルカリ金属塩が包含され、最も好ましいのはステアリン酸カリウムである。
【００５６】
特に好適な化粧品として許容されるベースは、連続相としてシリコーン油を含む油中水型エマルジョンを含むものである。油中水型エマルジョンは、架橋シリコーンエラストマーブレンドを含むことが好ましい。
【００５７】
油中水型エマルジョン中にシリコーンエラストマーブレンドを包含させることは、化粧品組成物を調製するための化粧品として許容されるベースとして使用することができる。シリコーン流体を使用してもよいが、架橋シリコーンエラストマーが特に好ましい。シリコーン流体ポリマーとは対照的に、エラストマーの物理的性質は典型的には分子量よりもむしろ架橋の数に依存する。膨潤するシリコーンエラストマーの能力はそれらを油相のための理想的な増粘剤にする。エラストマーは、皮膚または髪に適用したときに非常に滑らかで柔らかな感触を有する。それらはまた、香料、ビタミンおよび化粧品組成物中の他の添加剤のための送達剤としても使用され得る。
【００５８】
化粧品組成物は、好ましくは０．１〜５重量％のナイアシンアミドまたはその誘導体を含み得る。ナイアシンアミド以外に、他のよく知られている美白剤、例えば、アロエ抽出物、乳酸アンモニウム、アルブチン、アゼライン酸およびコウジ酸が包含され得る。
【００５９】
さらに、組成物は日焼け止め剤を含み得る。ベースに包含され得る任意の日焼け止め剤が包含され得る。ＵＶＡおよびＵＶＢ日焼け止め剤の両方が好ましい。
【００６０】
防腐剤もまた、潜在的に有害な微生物からそれらを保護するために組成物中に包含され得る。本発明の組成物に適した伝統的な防腐剤は、パラ−ヒドロキシ安息香酸のアルキルエステルである。ごく最近使用されるようになった他の防腐剤には、ヒダントイン誘導体、プロピオン酸塩、および様々な四級アンモニウム化合物が包含される。
【００６１】
様々な他の任意の材料を組成物にさらに包含させることができる。これらには以下のものが包含される：２−ヒドロキシ−４，２’、４’−トリクロロジフェニルエーテル（トリクロサン）、２，６−ジメチル−４−ヒドロキシクロロベンゼン、および３，４，４’−トリクロロカルバニリドなどの抗菌剤、ポリエチレンおよびシリカまたはアルミナなどのスクラブおよび剥離粒子、メントールなどの冷却剤、アロエベラなどの皮膚鎮静剤、および着色剤。
【００６２】
さらに、組成物は、エチレングリコールジステアレート、二酸化チタンまたはＬｙｔｒｏｎ（登録商標）６２１（スチレン／アクリレートコポリマー）などの乳白剤および真珠光沢剤をさらに包含してもよい。これらすべては製品の外観または特性を向上させる上で有用である。
【００６３】
組成物が手用消毒剤の形態であるとき、化粧品として許容されるベースはアルコールおよび水を含み得る。最も好ましいアルコールは、エチルアルコールおよびイソプロピルアルコールである。２種以上のアルコールの混合物でさえ、手用消毒剤組成物中に好ましく使用することができる。アルコールの量は、手用消毒剤組成物の好ましくは５０〜９５重量％、より好ましくは６０〜８０重量％、最も好ましくは６５〜８０重量％の範囲である。
【００６４】
本発明の組成物は広範囲の他の任意成分を含むことができる。ＣＴＦＡパーソナルケア成分ハンドブック、第２版、１９９２年は、スキンケア業界で一般的に使用される多種多様の非限定的パーソナルケアおよび医薬成分を記載している。
【００６５】
界面活性剤
パーソナルクレンジング組成物は、基本的なクレンジング作用のために１種以上の界面活性剤のベースを含有してもよい。界面活性剤は、アニオン性、カチオン性、非イオン性、両性または双性イオン性などの任意の種類のものであってよく、最終用途に従って選択することができる。アニオン性界面活性剤は、それらが良好な洗浄作用を提供し、かつ、様々なクレンジング組成物においてしばしば使用されるので最も好ましい。アニオン性界面活性剤は、長鎖脂肪酸のナトリウム／カリウム塩である石鹸ベースのものであり得る。
【００６６】
好ましいクレンジング組成物は、５〜８５重量％の界面活性剤、より好ましくは１０〜７０重量％の界面活性剤を含有する。界面活性剤の種類および全含有量は、組成物の意図する目的に依存し、例えば、組成物が棒状石鹸である場合、それは主に脂肪酸の石鹸（脂肪酸のアルカリ金属塩）を含有するであろう。マイルドなクレンジングバーの場合は、脂肪アシルイセチオネート界面活性剤を主に含有するであろう。同様に、シャンプーは大部分のアルキル硫酸ナトリウムまたはアルキルエーテル硫酸ナトリウムを含有するであろう。シャワージェルは通常、ラウリルエーテル硫酸ナトリウムとベタインを含有する。
【００６７】
通常、組成物は異なる種類の界面活性剤の混合物を含有するであろう。アニオン性界面活性剤は、例えば脂肪族スルホネート、例えば第一級アルカン（例えばＣ８−Ｃ２２）スルホネート、第一級アルカン（例えばＣ８−Ｃ２２）ジスルホネート、Ｃ８−Ｃ２２アルケンスルホネート、Ｃ８−Ｃ２２ヒドロキシアルカンスルホネートまたはアルキル。グリセリルエーテルスルホネート（ＡＧＳ）、またはアルキルベンゼンスルホネートなどの芳香族スルホネートでもよい。アルファオレフィンスルホネートもアニオン性界面活性剤として適している。アニオン性界面活性剤はまた、アルキルサルフェート（例えば、Ｃ１２−Ｃ１８アルキルサルフェート）、特に第一級アルコールサルフェートまたはアルキルエーテルサルフェート（アルキルグリセリルエーテルサルフェートを含む）でもよい。アニオン性界面活性剤はまた、アルファスルホン化獣脂脂肪酸のようなスルホン化脂肪酸、アルファスルホン化獣脂メチルのようなスルホン化脂肪酸エステルまたはそれらの混合物であり得る。アニオン性界面活性剤は、アルキルスルホスクシネート（モノ−およびジアルキル、例えばＣ６−Ｃ２２スルホスクシネートを含む）、アルキルおよびアシルタウレート、アルキルおよびアシルサルコシネート、スルホアセテート、Ｃ８−Ｃ２２アルキルホスフェートおよびホスフェート、アルキルホスフェートエステルおよびアルコキシアルキルホスフェートエステル、アシルラクテートおよびラクチレート、Ｃ８−Ｃ２、モノアルキルスクシネートおよびマレエート、スルホアセテート、ならびにアシルイセチオネートでもよい。アニオン性界面活性剤の他の種類は、Ｃ８〜Ｃ２０アルキルエトキシ（１〜２０個のＥＯ）カルボキシレートである。さらに別の適切なクラスのアニオン性界面活性剤は、Ｃ８−Ｃ１８アシルイセチオネートである。これらのエステルは、アルカリ金属イセチオネートを、６〜１８個の炭素原子および２０未満のヨウ素価を有する混合脂肪族脂肪酸と反応させることにより調製される。混合脂肪酸の少なくとも７５％が１２〜１８個の炭素原子を有し、２５％以下が６〜１０個の炭素原子を有する。アシルイセチオネートはアルコキシル化イセチオネートであってもよい。アルキルエーテルサルフェート、アルキルエーテルスルホスクシネート、アルキルエーテルホスフェートおよびアルキルエーテルカルボン酸およびそれらの塩は、１分子当たり１〜２０個のエチレンオキシドまたはプロピレンオキシド単位を含有していてもよい。
【００６８】
本発明の組成物がパーソナルウォッシュ組成物であることが特に好ましい。より具体的には、棒状石鹸または液体石鹸組成物である。棒状石鹸は一般的にボディウォッシュ用を意図されているが、液体石鹸はボディウォッシュ用ならびにハンドウォッシュ用に使用できる。パーソナルウォッシュ組成物は、少なくとも１０重量％のＣ８〜Ｃ２２脂肪酸の石鹸を含むことが好ましい。
【００６９】
これらの形態は、大部分の割合の脂肪酸石鹸をアニオン性界面活性剤として含有する。
【００７０】
用語「脂肪酸石鹸」、より簡単には「石鹸」は、その一般的な意味で本明細書中において使用されている。脂肪酸石鹸は、中和形態の脂肪酸を指す。好ましくは、石鹸が由来する脂肪酸は、脂肪酸石鹸を形成する際に実質的に完全に中和されている、すなわちその脂肪酸基の少なくとも９５％、さらに特に少なくとも９８％が中和されている。用語「石鹸」は、本明細書では、通常天然トリグリセリドから誘導される脂肪族、アルカン、またはアルケンモノカルボン酸のアルカリ金属またはアルカノールアンモニウム塩を意味するために使用される。ナトリウム、カリウム、マグネシウム、モノ−、ジ−およびトリ−エタノールアンモニウムカチオン、またはそれらの組み合わせが最も適している。通常、脂肪酸のブレンドが使用され、それから脂肪酸石鹸のブレンドが調製される。「石鹸」という用語は、ナトリウム、カリウム、マグネシウム、モノ−、ジ−およびトリ−エタノールアンモニウムカチオンまたはそれらの組み合わせを指す。一般に、ナトリウム石鹸が本発明の組成物に使用されるが、石鹸含有量の１５％までが、カリウム、マグネシウムまたはトリエタノールアミン石鹸のような他の石鹸形態であり得る。
【００７１】
使用され得る石鹸および他の界面活性剤の詳細な説明は、Ｓｃｈｗａｒｔｚ、ＰｅｒｒｙおよびＢｅｒｃｈによる「界面活性剤および洗剤」（第１巻および第２巻）に見出すことができる。
【００７２】
棒状石鹸の製造
棒状石鹸／錠剤は、棒状石鹸の製造に関して文献に記載されそして当該技術分野において知られている製造技術を用いて調製することができる。利用可能な製造方法の種類の例は、１９９０年代の著書「Ｓｏａｐ  ＴｅｃｈｎｏｌｏｇｙＦｏｒ  ｔｈｅ  １９９０’ｓ（アメリカ石油化学者協会（イリノイ州、シャンペーン）のＬｕｉｓ  Ｓｐｉｔｚによって編集；１９９０年）」に記載されている。これらは、溶融成形、押出し／スタンピング、および押出し、焼き戻し、および切断を広く含む。
【００７３】
以下の非限定的な実施例を参照しながら本発明を詳細に説明する。
【００７４】
［実施例］
［実施例１］
いくつかの棒状石鹸は、標準的なすき刃混合経路によって調製された。組成物はそれらの処方に基づいてそれらを区別するようにコード化された。
【００７５】
石鹸組成物ＡおよびＢ（表３参照）は本発明の範囲外であった。石鹸組成物１は本発明によるものであった。１つの組成物のみが抗菌性粒状材料を含有していた。処方物は、他のすべての成分およびそれらの重量％に関する限り、互いに異ならなかった。
【００７６】
複合抗菌性粒状材料は以下のように調製した。
【００７７】
１０℃で５時間絶えず撹拌しながら、１４７ｇの塩化カルシウムと１０６ｇの炭酸ナトリウムとを混合することによって１００ｇの多孔質炭酸カルシウム（固定化剤）を調製した。スラリーを５時間熟成し、濾過し、脱イオン水で洗浄しそして風乾した。
【００７８】
このようにして調製した４００ｍｇの多孔質炭酸カルシウムを１０ｍｌの水中に分散させ、４ｍｌの１重量％クエン酸三ナトリウム水溶液と混合した。混合物を８０℃に加熱し、続いて新たに調製した０．２５ｍｌの２％硝酸銀を添加した。この混合物を３００ｒｐｍで２０分間撹拌した。混合物を濾過して粒子を分離し、これを風乾した。このプロセスにより、炭酸カルシウムと銀を金属形態で（ナノ粒子として）含有する複合抗菌性粒状材料が得られ、ここで銀は担体として作用する炭酸カルシウム中に埋め込まれた。銀ナノ粒子のサイズは、５〜５０ｎｍであった。
【００７９】
これらの粒子は石鹸組成物１に含まれていた。比較分析のために、銀−ＤＴＰＡを含有する棒状石鹸を調製した。これらの組成物は、組成物１中に存在していた抗菌粒子を含有していなかった。すべての棒状石鹸の組成（本発明の範囲内に入るものと本発明の範囲外にあるもの）を表２に示す。
【表２】
0006987862.tif 000005
【００８０】
手順：
各組成物の作業試験溶液（水溶液）を使用直前に調製した。手続き的／人的ミスを最小限にするために、試験は二重に行われた。
【００８１】
棒状石鹸をその長さに亘って細かくすりおろし、約２４ｇのすりおろした削りくずが得られた。無菌水を使用して、すりおろした削りくずから試料試験溶液（８ｗ／ｖ水溶液）を調製した。すりおろした削りくずは、溶解を促進するために溶液を温めることによって水中に完全に溶解させた。
【００８２】
その後、作業試験溶液の１０ｍｌアリコートを別々の滅菌した〜５０ｍｌバイアルに分配し、各バイアルを４０℃に維持した水浴中に５分間保った。
【００８３】
トリプチケースソイブロスを含む滅菌チューブに、大腸菌および黄色ブドウ球菌を含有する凍結乾燥バイアルから接種した。培養物を３５±２℃で２３±１時間インキュベートした。ブロス培養物をペトリ皿に入ったトリプチケースソイ寒天培地の表面に接種し、３５±２℃で２３±１時間インキュベートした。これは固体培地の表面に各細菌の芝生をもたらし、それらからの増殖を用いてチャレンジ懸濁液を調製した。各ブロス培養物の純度は、トリプチケースソイ寒天培地上に単離ストリークを調製し、３５±２℃でインキュベートすることによって確認した。
【００８４】
２０ｍｌバイアルに、各バイアルが１０ｍｌの生成物試験溶液を含有するようにし、試験に使用した。
【００８５】
各バイアルの内容物を４０±１℃に維持した水浴中で撹拌した。チャレンジ懸濁液の０．１ｍｌアリコートを試験溶液（１００倍希釈）を含有する各バイアルに移し、そしてそれと混合した。チャレンジ懸濁液を４０±１℃で生成物試験溶液に暴露した（３０秒、較正された分／秒タイマーを使用して計時した）。較正された分／秒タイマーは、チャレンジ懸濁液の添加後±１秒以内に開始された。暴露時間が経過したら、生成物試験溶液／チャレンジ懸濁液を含有するバイアルから、中和剤（１０−１希釈）と共に９．０ｍｌのＤ／ＥまたはＢｕｔｔｅｒｆｉｅｌｄを含有する試験管に１．０ｍｌアリコートを移し、ボルテックスミキサーで混合した。追加の１０倍希釈液（例えば、１０−２、１０−３、および１０−４）を、適切なミキサーを用いて徹底的に混合しながら、中和剤と共にＤ／ＥまたはＢｕｔｔｅｒｆｉｅｌｄ中で調製した。ＴＳＡを用いて中和剤と共に１．０ｍｌおよび／または０．１ｍｌのアリコートを二重に混釈し、例えば１０−１、１０−２、１０−３、１０−４、および１０−５の最終的な平板希釈物を得た。プレートを３５±２℃で約２４時間、または十分な増殖が観察されるまでインキュベートした。上記に記載した手順の３つの複製物を、独立して調製したチャレンジ懸濁液および製品試験溶液を各々使用して実施した。
【００８６】
インキュベーション後、プレート上のコロニーを数えた。データの計算には、３０〜３００ＣＦＵの範囲の数が優先的に使用された。この範囲の数が観察されなかった場合、この範囲に最も近いコロニー数を有するプレートを使用した。
【００８７】
表３は観察の概要を含む。
【表３】
0006987862.tif 000006
【００８８】
表３のデータは以下のことを示している。
【００８９】
石鹸組成物１は、組成物ＡおよびＢと比較して優れた性能を示す。
【００９０】
１０秒終了後、組成物１は、黄色ブドウ球菌ならびに大腸菌を有意にさらに減少させた（統計的に有意）。これは、組成物１が、組成物ＡならびにＢと比較して、ちょうど５分の１の量の銀を含有していたという事実にもかかわらずである（表２参照）。
【００９１】
一方、３０秒では、組成物１によって提供される黄色ブドウ球菌の対数減少の程度は、複合抗菌性粒状材料を含まない組成物によって引き起こされる減少よりも有意に大きい。
【００９２】
大腸菌の場合、本発明の範囲外の組成物でさえも細菌の生菌数の５対数超過の減少をもたらすことが観察され得るが、重要な違いは、組成物１が、組成物ＡおよびＢと比較して、ちょうど１／５の量の銀を含有することである。
本発明は一態様において以下を提供する。 
[項目１]
（ｉ）水不溶性無機担体中に埋め込まれた微量作用金属を含む複合抗菌性粒状材料、および
（ｉｉ）チモールもしくはテルピネオールの少なくとも一方またはそれらの混合物  を含む組成物。
[項目２]
前記無機担体は、酸化チタン、酸化マグネシウム、酸化アルミニウム、酸化ケイ素、酸化カルシウム、酸化バリウム、ヒドロキシアパタイトカルシウム、炭酸カルシウム、炭酸カルシウムマグネシウム、層状ケイ酸塩、ゼオライト、粘土またはベントナイトのうちの少なくとも１つである、項目１に記載の組成物。
[項目３]
前記無機担体が炭酸カルシウムである、項目２に記載の組成物。
[項目４]
前記抗菌性粒状材料中の微量作用金属の量が前記粒状材料の０．１％〜１０重量％である、項目１〜３のいずれか一項に記載の組成物。
[項目５]
前記微量作用金属が銅または銀である、項目１〜４のいずれか一項に記載の組成物。
[項目６]
０．０００１〜５重量％の前記チモールまたはテルピネオールを含む、項目１〜５のいずれか一項に記載の組成物。
[項目７]
チモールおよびテルピネオールを含む、項目１〜６のいずれか一項に記載の組成物。
[項目８]
前記チモールの量と前記テルピネオールの量との重量比が１：０．１〜１：１０である、項目１〜７のいずれか一項に記載の組成物。
[項目９]
前記比が１：０．５〜１：２である、項目８に記載の組成物。
[項目１０]
０．００００５〜２重量％の前記微量作用金属に相当する量の前記複合抗菌粒子を含む、項目１〜９のいずれか一項に記載の組成物。
[項目１１]
パーソナルウォッシュ組成物である、項目１〜１０のいずれか一項に記載の組成物。
[項目１２]
前記パーソナルウォッシュ組成物が、少なくとも１０重量％のＣ８〜Ｃ２２脂肪酸の石鹸を含む、項目１１に記載の組成物。
[項目１３]
１０〜３０秒の接触時間内に、生物表面または無生物表面上の少なくとも１つのグラム陽性細菌またはグラム陰性細菌の細菌数を１〜５対数減少させることによって、前記表面を消毒するための、項目１〜１２のいずれか一項に記載の組成物の使用であって、非治療的である使用。
[項目１４]
１０〜３０秒の接触時間内に、生物表面または無生物表面上の少なくとも１つのグラム陽性細菌またはグラム陰性細菌の細菌数を１〜５対数減少させることによって、前記表面を項目１〜１２のいずれか一項に記載の組成物と接触させることによって、前記表面を消毒する非治療的方法。